【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
現像剤を収容するための枠体と、
導電性を有し、前記枠体の内側の表面に露出する第１露出部と、前記第１露出部から延びて前記枠体の壁部を貫通する貫通部と、前記貫通部から延びて前記枠体の外側の表面に露出し且つ前記壁部の厚み方向において前記第１露出部と重複しない位置に配置される第２露出部と、を備える導電性シートと、を有し、
前記第２露出部は、前記導電性シートの端部を含んでおり、前記枠体の前記壁部において、前記導電性シートの前記第２露出部に対応する領域のうち、前記導電性シートの前記端部に対応する領域部分の厚さは、前記端部から離れた他の領域部分の厚さよりも大きいことを特徴とする現像剤容器。
【請求項２】
前記枠体は、
前記導電性シートに対して前記枠体の内側に配置され、前記導電性シートと接着される第１枠体形成部と、
前記導電性シートに対して前記枠体の内側と外側の両方に配置され、前記導電性シートと接着される第２枠体形成部と、を有し、
前記第１枠体形成部と前記第２枠体形成部とによって前記壁部が形成されることを特徴とする請求項１に記載の現像剤容器。
【請求項３】
前記第２枠体形成部は、前記導電性シートにおける前記端部に対応する位置において、前記第１枠体形成部と前記導電性シートとの間に入り込む入り込み部を有し、
前記導電性シートと前記入り込み部と前記第１枠体形成部は積層され、
前記導電性シートは前記入り込み部の外側に配置され、前記入り込み部は前記第１枠体形成部の外側に配置されることを特徴とする請求項２に記載の現像剤容器。
【請求項４】
前記第１枠体形成部および前記第２枠体形成部は樹脂からなることを特徴とする請求項２または３に記載の現像剤容器。
【請求項５】
前記第１枠体形成部と前記第２枠体形成部は一体として成形されていることを特徴とする請求項２から４のいずれか１項に記載の現像剤容器。
【請求項６】
前記第１枠体形成部と前記第２枠体形成部との間には界面が形成されていることを特徴とする請求項２から５のいずれか１項に記載の現像剤容器。
【請求項７】
前記導電性シートは、導電性樹脂からなることを特徴とする請求項１から６のいずれか１項に記載の現像剤容器。
【請求項８】
前記枠体の前記壁部において、前記導電性シートの前記第２露出部に対応する領域のうち、前記端部に対応する領域部分は、その一部に、前記導電性シートの前記端部から前記他の領域部分に向かうにつれて下方に傾斜する傾斜部を有することを特徴とする請求項１から７のいずれか１項に記載の現像剤容器。
【請求項９】
前記枠体の前記壁部において、前記導電性シートの前記第２露出部に対応する領域のうち、前記端部に対応する領域部分は、前記導電性シートの前記端部から前記他の領域部分に向かうにつれて下方に傾斜することを特徴とする請求項１から７のいずれか１項に記載の現像剤容器。
【請求項１０】
前記枠体の前記壁部において、前記導電性シートの前記第２露出部に対応する領域のうち、前記端部に対応する領域部分は、前記導電性シートの前記端部から前記他の領域部分に向かうにつれて段階的に下がることを特徴とする請求項１から７のいずれか１項に記載の現像剤容器。
【請求項１１】
前記第２露出部の形状は四角形であり、
前記第２露出部の三辺は、前記導電性シートの端部となっており、
前記枠体の前記壁部において、前記第２露出部に対応する領域のうち、前記三辺に対応する領域部分の厚さは、他の領域部分の厚さよりも厚くなっていることを特徴とする請求項１から１０のいずれか１項に記載の現像剤容器。
【請求項１２】
画像形成装置の装置本体に対して着脱可能であることを特徴とする請求項１から１１のいずれか１項に記載の現像剤容器。
【請求項１３】
請求項１から１２のいずれか１項に記載の現像剤容器と、
前記現像剤容器に収容された現像剤を担持する現像剤担持体と、を有し、
前記現像剤担持体上の現像剤を用いて、像担持体に形成された静電潜像を現像剤像として現像することを特徴とする現像装置。
【請求項１４】
画像形成装置の装置本体に対して着脱可能なプロセスカートリッジであって、
請求項１から１２のいずれか１項に記載の現像剤容器と、
静電潜像が形成される像担持体と、
前記現像剤容器に収容された現像剤を担持する現像剤担持体と、を有し、
前記現像剤担持体上の現像剤を用いて、前記像担持体上の静電潜像を現像剤像として現像することを特徴とするプロセスカートリッジ。
【請求項１５】
請求項１から１２のいずれか１項に記載の現像剤容器と、
静電潜像が形成される像担持体と、
前記現像剤容器に収容された現像剤を担持する現像剤担持体と、を有し、
前記現像剤担持体上の現像剤を用いて、前記像担持体上の静電潜像を現像剤像として現像し、
前記像担持体上の現像剤像を用いて記録媒体に画像を形成することを特徴とする画像形成装置。
【請求項１６】
前記現像剤担持体は、前記像担持体上の現像剤像が記録媒体に転写された後に前記像担持体上に残留した残留現像剤を回収することを特徴とする請求項１５に記載の画像形成装置。
【請求項１７】
現像剤を収容するための枠体と、
導電性を有し、前記枠体の内側の表面に露出する第１露出部と、前記第１露出部から延びて前記枠体の壁部を貫通する貫通部と、前記貫通部から延びて前記枠体の外側の表面に露出し且つ前記壁部の厚み方向において前記第１露出部と重複しない位置に配置される第２露出部と、を備える導電性シートとを備える現像剤容器を、金型を用いて射出成形により製造する製造方法であって、
前記導電性シートの一方の面側に第１成形部を形成する第１工程と、
前記導電性シートの他方の面側に第２成形部を形成する第２工程と、を有し、
前記第１工程では、前記導電性シートの前記他方の面側において、前記導電性シートの端部を覆うように第３成形部を形成することを特徴とする製造方法。
【請求項１８】
前記第１工程において、前記導電性シートの面方向に沿って、前記導電性シートの前記端部の外側から前記端部へ樹脂が流れるように前記金型に樹脂を流入させて前記第３成形部を形成することを特徴とする請求項１７に記載の製造方法。
【請求項１９】
前記第２工程において、前記導電性シートの前記端部が前記第３成形部によって覆われた状態で、前記端部の外側から前記端部に向かって樹脂が流れるように前記金型に樹脂を流入させて前記第２成形部を形成することを特徴とする請求項１７または１８に記載の製造方法。
【請求項２０】
前記金型は、前記導電性シートの前記一方の面と接触可能な第１金型と、前記第１金型と対向して配置され、且つ、前記導電性シートの前記他方の面と接触可能な固定部と、前記固定部に対して相対移動可能なスライド部とを具備する第２金型を含み、
前記スライド部は、前記導電性シートと接触する第１位置と、前記導電性シートから離間する第２位置とに移動可能であることを特徴とする請求項１７から１９のいずれか１項に記載の製造方法。
【請求項２１】
前記第１工程は、前記スライド部が前記第１位置に移動した状態で行われ、
前記第２工程は、前記スライド部が前記第２位置に移動した状態で行われることを特徴とする請求項２０に記載の製造方法。
【請求項２２】
前記第２工程では、前記第１金型と前記スライド部とによって前記導電性シートが挟まれた状態において、前記導電性シートの前記端部と前記スライド部との隙間は、前記端部側に近い方よりも、前記端部側から離れて前記第２露出部の中央側に近い方が小さいことを特徴とする請求項２０または２１に記載の製造方法。
【請求項２３】
現像剤を収容するための枠体と、
導電性を有し、前記枠体の内側の表面に露出する第１露出部と、前記第１露出部から延びて前記枠体の壁部を貫通する貫通部と、前記貫通部から延びて前記枠体の外側の表面に露出し且つ前記壁部の厚み方向において前記第１露出部と重複しない位置に配置される第２露出部と、を備える導電性シートとを備える現像剤容器を、射出成形により製造するための金型であって、
前記導電性シートの一方の面と接触可能な第１金型と、
前記第１金型と対向して配置され、且つ、前記導電性シートの他方の面と接触可能な固定部と、前記固定部に対して相対移動可能なスライド部とを具備する第２金型と、を含み、
前記スライド部は、前記導電性シートと接触可能な第１位置と、前記導電性シートから離間する第２位置とに移動可能であることを特徴とする金型。
【請求項２４】
前記スライド部が前記第１位置にある状態では、前記導電性シートの端部と前記スライド部との隙間は、前記端部側に近い方よりも、前記端部側から離れて前記第２露出部の中央側に近い方が小さいことを特徴とする請求項２３に記載の金型。
【請求項２５】
前記導電性シートは、前記導電性シートの前記端部以外の部分において、前記第１金型と前記スライド部とによって挟まれることを特徴とする請求項２４に記載の金型。